(57)【要約】【課題】フィラメント断線時には発振を停止させ、インバータ回路ＩＶの発熱及び回路の故障を防止することができる放電灯点灯装置を提供する。【解決手段】インバータ回路ＩＶ、インバータ回路ＩＶを駆動させる駆動回路１、バラストチョ−クＴ１を有する放電灯負荷回路ＬＡＣ、バラストチョークＴ１に設けられた２次巻線Ｔ１ａ、２次巻線Ｔ１ａに生ずる電圧を検出する２次電圧検出部２、２次電圧検出部２で検出された検出電圧の高周波成分をカットオフする高周波フィルタ部３、高周波フィルタ部３からの出力電圧のピーク値を検出する検出部４及び検出部４からの出力電圧があらかじめ定めたフィラメント断線検出基準値以下のときに、ランプＬＡの断線または解放と判断し、停止信号を駆動回路１に出力する判別部５を備える。【選択図】        図１
2004296385.tif 000002
【特許請求の範囲】
【請求項１】
直流電源と、
この直流電源の直流電圧を高周波電圧に変換するインバータ回路と、
このインバータ回路を駆動させる駆動回路と、
バラストチョ−ク、このバラストチョークにランプを介して接続されるカップリングコンデンサを有し、上記インバ−タ回路からの高周波電流により上記ランプを点灯させる放電灯負荷回路と、
前記バラストチョークに設けられた２次巻線と、
この２次巻線に生ずる電圧を検出する２次電圧検出部と、
この２次電圧検出部で検出された検出電圧の高周波成分をカットオフする高周波フィルタ部と、
この高周波フィルタ部からの出力電圧のピーク値を検出する検出部と、
この検出部からの出力電圧があらかじめ定めたフィラメント断線検出基準値以下のときに、前記ランプの断線または解放と判断し、停止信号を前記駆動回路に出力する判別部と、
を備えたことを特徴とする放電灯点灯装置。
【請求項２】
直流電源と、
この直流電源の直流電圧を高周波電圧に変換するインバータ回路と、
このインバータ回路を駆動させる駆動回路と、
バラストチョ−ク、このバラストチョークにランプを介して接続されるカップリングコンデンサを有し、上記インバ−タ回路からの高周波電流により上記ランプを点灯させる複数の放電灯負荷回路と、
前記各バラストチョークに設けられた２次巻線と、
これらの各２次巻線に生ずる電圧を検出する２次電圧検出部と、
この各２次電圧検出部で検出された検出電圧の高周波成分を各々カットオフする高周波フィルタ部と、
この各高周波フィルタ部からの出力電圧を各々ダイオードを介してオア接続してピーク値を検出する検出部と、
この検出部からの出力電圧があらかじめ定めたランプ異常検出基準値以下のときに、前記ランプの断線または解放と判断し、停止信号を前記駆動回路に出力する判別部と、
を備えたことを特徴とする放電灯点灯装置。
【請求項３】
判定部は、フィラメント断線検出基準値より高くあらかじめ定めたランプ異常検出基準値を越えるときにランプ異常と判断し停止信号を駆動回路に出力することを特徴とする請求項１または２記載の放電灯点灯装置。
【請求項４】
高周波フィルタ部からの出力電圧のピーク値を、出力電圧間のピーク値に代えたことを特徴とする請求項１〜３のいずれかに記載の放電灯点灯装置。
【発明の詳細な説明】
【０００１】
【発明の属する技術分野】
この発明は、インバータによる高周波電力でランプを点灯させる放電灯点灯装置に関し、特に、ランプのフィラメント断線を検出し、回路の発振を停止させることができる放電灯点灯装置に関するものである。
【０００２】
【従来の技術】
従来の放電灯点灯装置は、ランプの点灯電圧が予め設定されている値を越えているとき、コンパレータ回路によってこれを検出して検出可能信号を生成するとともに、フィラメント電流検出回路によってランプのフィラメントに流れる電流値を検出してこの検出結果を示す検出信号を生成し、そしてコンパレータ回路から検出可能信号が出力され、かつフィラメント電流検出回路から出力される検出信号の値が予め設定されている値よりも小さいとき、コンパレータ回路およびアンドゲートによってフィラメントが断線していると判定している。（例えば特許文献１）。
【０００３】
【特許文献１】
特許３３５６２１６号公報（段落０００９〜００１５、図１）
【０００４】
【発明が解決しようとする課題】
従来の放電灯点灯装置では、ランプのフィラメントに流れる電流値を抵抗により電圧値に変換して検出信号を生成しており、ロスが多く、また、断線検出回路はコンパレータやアンドゲート等の部品が多いという問題があった。
【０００５】
この発明は上記のような問題点を解消するためになされたもので、小型で安価な部品で、正常点灯とフィラメント断線が正確に検出され、また、正常点灯時には誤動作せず、また、フィラメント断線時には確実に発振を停止させることができ、フィラメント断線時に生じるインバータ回路ＩＶの発熱及び回路の故障を防止することができる放電灯点灯装置を提供することを目的とする。
【０００６】
【課題を解決するための手段】
この発明に係る放電灯点灯装置は、直流電源と、この直流電源の直流電圧を高周波電圧に変換するインバータ回路と、このインバータ回路を駆動させる駆動回路と、バラストチョ−ク、このバラストチョークにランプを介して接続されるカップリングコンデンサを有し、上記インバ−タ回路からの高周波電流により上記ランプを点灯させる放電灯負荷回路と、前記バラストチョークに設けられた２次巻線と、この２次巻線に生ずる電圧を検出する２次電圧検出部と、この２次電圧検出部で検出された検出電圧の高周波成分をカットオフする高周波フィルタ部と、この高周波フィルタ部からの出力電圧のピーク値を検出する検出部と、この検出部からの出力電圧があらかじめ定めたフィラメント断線検出基準値以下のときに、前記ランプの断線または解放と判断し、停止信号を前記駆動回路に出力する判別部と、を備えたものである。
【０００７】
【発明の実施の形態】
実施の形態１．
図１はこの発明の実施の形態１を示す放電灯点灯装置の概略構成図、図２は放電灯点灯装置の回路図、図３は放電灯点灯装置のバラストチョークの２次電圧の波形図、図４はランプのフィラメント状態を示す波形図である。
【０００８】
図１において、放電灯点灯装置は、直流電源Ｅ、直流電源Ｅの直流電圧をスイッチングして高周波電圧に変換するインバータ回路ＩＶ、インバータ回路ＩＶを駆動する駆動回路１、インバータ回路ＩＶによって生成された高周波電圧によりランプＬＡを点灯させる放電灯負荷回路ＬＡＣ、放電灯負荷回路ＬＡＣのバラストチョークＴ１の２次巻線Ｔ１ａに生じる２次電圧を検出する２次電圧を検出部２、この２次電圧検出部２からの出力電圧のあらかじめ定められた高周波成分をカットオフする高周波フィルタ部３、この高周波フィルタ部３からの出力電圧のピーク値を検出するとともに電圧レベルを調整する検出部４及び検出部４からの出力電圧に基づいて断線または解放と判別されたときに、駆動回路１に停止信号を出力する判別部５から構成される。
【０００９】
次に、各回路及び各部の詳細を説明する。インバータ回路ＩＶは、直流電源Ｅに接続され、直流電源Ｅの直流電圧をスイッチングして高周波電圧に変換する一対のＭＯＳ−ＦＥＴ  Ｑ１、Ｑ２（以下、スイッチング素子Ｑ１、Ｑ２という）をを備え、放電灯負荷回路ＬＡＣにおいては、スイッチング素子Ｑ１、Ｑ２に接続されたバラストチョークＴ１がランプＬＡを介してカップリングコンデンサＣ４に直列に接続され、ランプＬＡに始動コンデンサＣ３が並列に接続されている。
【００１０】
２次電圧検出部２は、ランプＬＡの電流制限用バラストチョークＴ１に設けた２次巻線Ｔ１ａと２次巻線Ｔ１ａの一端と直流電源Ｅの負極間に接続された抵抗Ｒ１で構成される。
【００１１】
高周波フィルタ部３は、２次電圧検出部２の２次巻線Ｔ１ａと抵抗Ｒ１の接続線と電源Ｅの負極間に接続された抵抗Ｒ２とコンデンサＣ１の直列回路からなる積分回路で構成され、抵抗Ｒ２、コンデンサＣ１の時定数でカットオフ周波数が決定される。
【００１２】
検出部は、高周波フィルタ部３の抵抗Ｒ２とコンデンサＣ１の接続点と電源Ｅの負極間に接続されたダイオードＤ１、抵抗Ｒ３、コンデンサＣ２の直列回路とコンデンサＣ２と並列接続された抵抗Ｒ４から構成される。
判別部５は、非反転入力端子が基準電圧の設定手段Ｂに、反転入力端子が検出部４の出力に、出力端子が駆動回路１に接続されたコンパレータＣ０１から構成される。
【００１３】
次に、この発明の実施の形態１の動作を図２〜図４により説明する。図３（ａ）は正常点灯、図３（ｂ）はフィラメント断線時、図３（ｃ）はランプＬＡを接続しない開放の場合の電圧波形図を示す。図４（ａ）は２次電圧検出部２、高周波フィルタ部３及び判別部５の各々の電圧測定箇所、図４（ｂ）は正常時、図４（ｃ）は断線時の電圧波形を示す。
【００１４】
放電灯点灯装置が起動され、インバータ回路ＩＶに直流電源Ｅから電流が供給され、駆動回路１によりスイッチング素子Ｑ１、Ｑ２が交互にオン・オフ動作することにより、放電灯負荷回路ＬＡＣには高周波電流が供給され、この高周波電流によってバラストチョークＴ１および始動コンデンサＣ３からなる直列回路がＬＣ共振を生じ、始動コンデンサＣ３、すなわち、ランプＬＡの両端に高電圧が発生して、ランプＬＡが始動されランプＬＡが点灯する。
【００１５】
ここで、バラストチョークＴ１に生ずる電圧波形を図３により説明する。
ランプＬＡの正常点灯時には、図３（ａ）に示すような点灯周波数が数十ｋＨｚの交流波形が発生するが、フィラメント断線時にはバラストチョークＴ１と基板上のパターン及びランプＬＡ配線の線間容量による共振を行うため、図３（ｂ）に示すような数百ｋＨｚの振動波形が発生する。また、ランプＬＡを接続しない場合には図３（ｃ）に示すようにフィラメント断線時に近似した高周波の振動波形が発生する。このように、正常点灯、断線又ランプＬＡを接続しない開放の場合にバラストチョークＴ１に生ずる電圧波形が異なる。
【００１６】
２次電圧検出部２は、バラストチョークＴ１の１次側の電圧を２次側の巻線Ｔ１ａで電圧を下げて検出するものであり、２次側には、１次側と相似した波形が発生し、また、抵抗Ｒ１の両端にバラストチョークＴ１の１次側と２次側の巻線Ｔ１ａの巻き数比に比例した電圧が発生する。この検出電圧は正常点灯時は、実験の結果、図４（ｂ）に示すように２次巻線電圧Ｖ１に、約５０ｋＨｚの交流波形が発生しており、フィラメント断線時には、図４（ｃ）に示すように２次巻線電圧Ｖ１に５００ｋＨｚの振動電圧波形が発生している。
【００１７】
次に、高周波フィルタ部３では、２次電圧検出部２からの振動電圧波形が、抵抗Ｒ２とコンデンサＣ１により積分され、高周波成分がカットオフされるが、抵抗Ｒ２、コンデンサＣ１の時定数でカットオフ周波数が決定される。ランプＬＡの点灯周波数が数十ｋＨｚ、フィラメント断線時に発生する振動電圧が数百ｋＨｚなので、正常時には働かないように、点灯時の検出波形に影響しないレベルで設定する必要があり、実験では２００ｋＨｚとした。
実験の結果、正常点灯時は図４（ｂ）に示すように高周波フィルタ部３の電圧波形であるＶ２に約５０ｋＨｚの交流波形（約５Ｖ）が発生しており、フィラメント断線時の電圧波形Ｖ２は、図４（ｃ）に示すようにフィルタ回路の効果が出ているため、ほぼ０Ｖの波形となっている。
【００１８】
次に、検出部４では、ダイオードＤ１、コンデンサＣ２により高周波フィルタ部３から出力された電圧のピークを検出し、抵抗Ｒ３、Ｒ４で判別部５に入力するための電圧レベルを調整する。
正常点灯時は図４（ｂ）に示すように検出部４の波形であるＶ３には、高周波フィルタ部３の波形であるＶ２のピーク電圧を分圧した直流波形で検出されるが、フィルタ部３の波形であるＶ２は約５０ｋＨｚの交流波形のためフィルターが作用せず、ほぼ２次電圧検出部２と同レベルの検出値（約４Ｖ）（２次巻線Ｔ１ａの巻き数、分圧抵抗により調整可能）となっている。
フィラメント断線時、ランプ開放時には、図４（ｃ）に示すように検出部４の波形であるＶ３にはＶ２のピーク電圧を分圧した直流波形で検出されているため、ほぼ０Ｖで検出される。
このように、正常点灯時は検出部４に電圧が発生し、断線時には電圧が発生しない。
【００１９】
次に、判定部５では、検出部４で検出された検出電圧をコンパレータＣ０１によりフィラメント断線検出基準値と比較し、基準値を越える電圧が発生していれば正常点灯、それ以下の電圧であれば断線又は開放と判断し、駆動回路１に停止信号を出力する。そして、駆動回路１は、判定部５から停止信号が入力されるとインバータ回路ＩＶを停止させる。
【００２０】
以上のように、バラストチョークＴ１の２次巻線Ｔ１ａを用いることにより、検出電圧を低下させることができ、小型で安価な部品で、正常点灯とフィラメント断線または開放が正確に検出され、また、正常点灯時には誤動作せず、また、フィラメント断線時には確実に発振を停止させることができ、フィラメント断線時に生じるインバータ回路ＩＶの発熱及び回路の故障を防止することができる。
【００２１】
実施の形態２．
実施の形態１は放電灯負荷回路が一つの場合を示したが、本実施の形態は放電灯負荷回路が二つの場合としたものである。
【００２２】
図５はこの発明の実施の形態２を示す放電灯点灯装置の回路図である。
図５において、実施の形態１の図２と同一または相当部分には同一の符号を付し説明を省略する。放電灯負荷回路ＬＡＣ１は、スイッチング素子Ｑ１、Ｑ２に接続されたバラストチョークＴ１がランプＬＡ１を介してカップリングコンデンサＣ４に直列に接続され、ランプＬＡ１に始動コンデンサＣ３Ａが並列に接続されている。また、放電灯負荷回路ＬＡＣ２は、スイッチング素子Ｑ１、Ｑ２に接続されたバラストチョークＴ２がランプＬＡ２を介してカップリングコンデンサＣ４に直列に接続され、ランプＬＡ２に始動コンデンサＣ３Ｂが並列に接続されている。
【００２３】
２次電圧検出部２ａは、ランプＬＡ１のバラストチョークＴ１に設けた２次巻線Ｔ１ａと２次巻線Ｔ１ａの一端と直流電源Ｅの負極間に接続された抵抗Ｒ１Ａで構成される。また、２次電圧検出部２ｂは、ランプＬＡ２のバラストチョークＴ２に設けた２次巻線Ｔ２ａと２次巻線Ｔ２ａの一端と直流電源Ｅの負極間に接続された抵抗Ｒ１Ｂで構成される。
【００２４】
高周波フィルタ部３ａは、２次電圧検出部２ａの２次巻線Ｔ１ａと抵抗Ｒ１Ａの接続線と電源Ｅの負極間に接続された抵抗Ｒ２ＡとコンデンサＣ１Ａの直列回路からなる積分回路から構成される。また、高周波フィルタ部３ｂは、２次電圧検出部２ｂの２次巻線Ｔ２ａと抵抗Ｒ１Ｂの接続線と電源Ｅの負極間に接続された抵抗Ｒ２ＢとコンデンサＣ１Ｂの直列回路からなる積分回路から構成される。
【００２５】
検出部４は、高周波フィルタ部３ａの抵抗Ｒ２ＡとコンデンサＣ１Ａの接続点にアノードが接続されたダイオードＤ１Ａ、高周波フィルタ部３ｂの抵抗Ｒ２ＢとコンデンサＣ１Ｂの接続点にアノードが接続され、カソードがダイオードＤ１Ａのカソードに接続されたダイオードＤ１Ｂ、ダイオードＤ１Ａ、Ｄ１Ｂのカソードと電源Ｅの負極間に接続された抵抗Ｒ３、４の直列回路と抵抗Ｒ４と並列接続されたコンデンサＣ２から構成され、ダイオードＤ１Ａ、Ｄ１ＢはＯＲ回路を構成している。
【００２６】
次に、この発明の実施の形態１の動作を図５により説明する。
放電灯点灯装置が起動され、インバータ回路ＩＶに直流電源Ｅから電流が供給され、駆動回路１によりスイッチング素子Ｑ１、Ｑ２が交互にオン・オフ動作することにより、放電灯負荷回路ＬＡＣ１、ＬＡＣ２には高周波電流が供給され、ランプＬＡ１、ＬＡ２が点灯する。
【００２７】
２次電圧検出部２ａ、２ｂでは、抵抗Ｒ１Ａ、Ｒ１Ｂの両端にバラストチョークＴ１、Ｔ２の１次側と２次側の巻線Ｔ１ａ、Ｔ２ａの巻き数比に比例した電圧が各々発生する。この検出電圧は実施の形態１の図４に示したものと同じであり説明を省略する。
【００２８】
次に、高周波フィルタ部３ａ、３ｂでは、２次電圧検出部２ａ、２ｂからの振動電圧波形の高周波成分がカットオフされ、実施の形態１の図４に示すようにコンデンサＣ１Ａ、Ｃ１Ｂに発生する電圧は、正常点灯時には数Ｖ、断線時または間引き等で開放のときには０Ｖが発生する。
【００２９】
次に、検出部４では、高周波フィルタ部３ａ、３ｂから出力された検出電圧を、ダイオードＤ１Ａ、Ｄ１Ｂを用いたＯＲ回路で検出する。
ダイオードＤ１ＡまたはダイオードＤ１ＢとコンデンサＣ２により高周波フィルタ部３から出力された電圧のピークを検出し、抵抗Ｒ３、Ｒ４で判別部５に入力するための電圧レベルを調整する。
ランプＬＡ１、ＬＡ２のいずれかが正常点灯していれば、図４（ｂ）に示すように検出部４の波形であるＶ３には、ほぼ２次電圧検出部２と同レベルの検出値でとなっている（約４Ｖ）。
また、ランプＬＡ１、ＬＡ２の両方がフィラメント断線時またはランプ開放のときの電圧波形Ｖ３は、図４（ｃ）に示すようにほぼ０Ｖで検出される。
【００３０】
次に、判定部５では、検出部４で検出された検出電圧をコンパレータＣ０１により、フィラメント断線検出基準値と比較しフィラメント断線検出基準値を越える電圧が発生していれば正常点灯、それ以下の電圧であれば断線又は開放と判断し、駆動回路１に停止信号を出力する。
【００３１】
このとき、ランプＬＡ１、ＬＡ２のうち片方のランプを間引いて使用した場合でも、一方が正常に点灯していれば、数Ｖの電圧が検出され、基準電圧Ｂより高いので正常点灯と判断される。
また、ランプＬＡ１、ＬＡ２が全て断線又は間引かれた場合に、フィラメント断線検出基準値よりも低い電圧が検出されるため断線又は開放と判断し、駆動回路１に停止信号を出力する。そして、駆動回路１は、判定部５から停止信号が入力されるとインバータ回路ＩＶを停止させる。
【００３２】
以上のように、各ランプＬＡ１、ＬＡ２からの検出を、ダイオードＤ１Ａ、Ｄ１Ｂを用いたＯＲ回路で検出することにより、各ランプＬＡ１、ＬＡ２のいずれかを間引き点灯をすることができる。
また、間引きしてもランプＬＡ１、ＬＡ２のいずれか１本が正常に点灯していれば、他のフィラメントが断線して回路に異常電流が発生し故障するような状態になった場合でも、フィラメント断線を検出して、回路の発振を停止することができる。
また、回路に異常電流は発生しないようにすることができ、全てのランプＬＡ１、ＬＡ２が断線又は開放の時のみ検出すれば、回路の故障を防止することができる。
【００３３】
なお、本実施の形態は２灯用で示してあるが、それ以上の多灯用回路でもよい。
【００３４】
実施の形態３．
実施の形態１、２はランプのフィラメント断線の検出について示したが、本実施の形態はランプの異常も検出でき、また、検出精度を向上させたものである。図６はこの発明の実施の形態３を示す放電灯点灯装置の回路図、図７は検出値と基準値の関係の説明図である。
図６において、実施の形態１の図２と同一または相当部分には同一の符号を付し説明を省略する。
【００３５】
検出部４は、高周波フィルタ部３の抵抗Ｒ２とコンデンサＣ１の接続点と電源Ｅの負極間に接続されたコンデンサＣ３とダイオードＤ１の直列回路とダイオードＤ１と並列接続されたダイオードＤ２とコンデンサＣ２の直列回路から構成される。
【００３６】
判別部５は、非反転入力端子がフィラメント断線検出基準値の設定手段Ｂ１に、反転入力端子が検出部４の出力に、出力端子が駆動回路１に接続されたコンパレータＣ０１と、反転入力端子がランプ異常検出基準値の設定手段Ｂ２に、非反転入力端子が検出部４の出力に、出力端子がコンパレータＣＯ１の出力端子に接続されたコンパレータＣ０２から構成される。
【００３７】
次に、この発明の実施の形態３の放電灯点灯装置の動作について図６、図７により説明する。
放電灯点灯装置が起動され、インバータ回路ＩＶに直流電源Ｅから電流が供給され、駆動回路１によりスイッチング素子Ｑ１、Ｑ２が交互にオン・オフ動作することにより、放電灯負荷回路ＬＡＣに高周波電流が供給され、ランプＬＡが点灯する。
【００３８】
２次電圧検出部２は、バラストチョークＴ１の２次巻線Ｔ１ａに実施の形態１の図４に示した電圧Ｖ１が発生し、高周波フィルタ部３では実施の形態１の図４に示した電圧Ｖ２が発生する。
【００３９】
次に、検出部４では、高周波フィルタ部３から出力された検出電圧をダイオードＤ１とコンデンサＣ３により高周波フィルタ部３から出力された電圧の負側のピークをダイオードＤ２とコンデンサＣ２により正側のピークを検出することによりピーク間（Ｐ−Ｐ）電圧を検出し判別部５に入力する。
このときの電圧波形は、実施の形態１の図４に示した電圧Ｖ３はピーク検出値なのでこの２倍となる。
【００４０】
次に、判定部５では、図７に示すようにフィラメント断線検出基準値とランプ異常検出基準値の２つを持たせ、フィラメント断線の他にエミレス及び不点灯のランプの寿命末期も検出する。これらの基準値は、正常点灯時の検出電圧に対し、ランプ異常検出基準値を高く、フィラメント断線検出基準値を低く設定する。そして、フィラメント断線時の検出電圧値は、これまで説明してきたように正常点灯時に対して低く検出されるため、フィラメント断線検出基準値より低くなった場合に、回路の発振を停止させ停止信号を出力する。
また、ランプの寿命末期状態であるエミレス時や不点灯状態では、ランプの両端電圧が増加するのに伴いバラストチョークＴ１の両端電圧も増加する。このときの検出電圧値は、正常点灯時に比べ高く検出されるため、ランプ異常検出基準値よりも高くなった場合には、回路の発振を停止させる停止信号を出力する。
【００４１】
次に、判定部５の動作を図６により説明する。まず、あらかじめフィラメント断線検出基準値は設定手段Ｂ１により低く、ランプ異常検出基準値は設定手段Ｂ２により高く設定しておく。
そして、検出部４で検出された検出電圧がコンパレータＣ０１に入力されると、フィラメント断線検出基準値の設定手段Ｂ１と比較され、フィラメント断線検出基準値以下の電圧であれば断線又は開放と判断し、駆動回路１に停止信号を出力する。
一方、検出電圧がコンパレータＣ０２に入力されると、ランプ異常検出基準値の設定手段Ｂ２と比較され、正常点灯時より高いランプ異常検出基準値を越えるときはエミレス及び不点灯のランプの寿命末期と判断され、駆動回路１に停止信号を出力する。そして、駆動回路１は、判定部５から停止信号が入力されるとインバータ回路ＩＶを停止させる。
【００４２】
以上のように、ランプＬＡのフィラメント断線の検出とランプＬＡの異常を検出することができる。
また、検出部４に発生する電圧をピーク間（Ｐ−Ｐ）検出することにより、更に検出精度を上げることができる。
【００４３】
なお、本実施の形態では、検出部４に発生する電圧をピーク間検出する場合を示したが、使用条件によっては実施の形態１で示した検出部４のピーク検出でもよい。また、実施の形態２の検出部４及び判定部５を本実施の形態と同じものに代えてもよい。
【００４４】
【発明の効果】
以上のように、この発明によれば、直流電源と、この直流電源の直流電圧を高周波電圧に変換するインバータ回路と、このインバータ回路を駆動させる駆動回路と、バラストチョ−ク、このバラストチョークにランプを介して接続されるカップリングコンデンサを有し、上記インバ−タ回路からの高周波電流により上記ランプを点灯させる放電灯負荷回路と、前記バラストチョークに設けられた２次巻線と、この２次巻線に生ずる電圧を検出する２次電圧検出部と、この２次電圧検出部で検出された検出電圧の高周波成分をカットオフする高周波フィルタ部と、この高周波フィルタ部からの出力電圧のピーク値を検出する検出部と、この検出部からの出力電圧があらかじめ定めたフィラメント断線検出基準値以下のときに、前記ランプの断線または解放と判断し、停止信号を前記駆動回路に出力する判別部と、を備えたので、小型で安価な部品で、正常点灯とフィラメント断線が正確に検出され、また、正常点灯時には誤動作せず、また、フィラメント断線時には確実に発振を停止させることができ、フィラメント断線時に生じるインバータ回路ＩＶの発熱及び回路の故障を防止することができる。
【図面の簡単な説明】
【図１】この発明の実施の形態１を示す放電灯点灯装置の概略構成図である。
【図２】この発明の実施の形態１を示す放電灯点灯装置の回路図である。
【図３】この発明の実施の形態１を示す放電灯点灯装置のバラストチョークの２次電圧の波形図である。
【図４】この発明の実施の形態１を示す放電灯点灯装置のランプのフィラメント状態を示す波形図である。
【図５】この発明の実施の形態２を示す放電灯点灯装置の回路図である。
【図６】この発明の実施の形態３を示す放電灯点灯装置の回路図である。
【図７】この発明の実施の形態３を示す放電灯点灯装置の検出値と基準値の関係の説明図である。
【符号の説明】
１  駆動回路、２、２ａ、２ｂ  ２次電圧検出部、３、３ａ、３ｂ  高周波フィルタ部、４  検出部、５  判別部、Ｃ４  カップリングコンデンサ、Ｅ  直流電源、ＩＶ  インバータ回路、ＬＡＣ、ＬＣ１、ＬＣ  放電灯負荷回路、ＬＡ、ＬＡ１、ＬＡ２  ランプ、Ｔ１、Ｔ２  バラストチョ−ク、Ｔ１ａ、Ｔ２ａ  ２次巻線。
【図１】
2004296385.tif 000003
【図２】
2004296385.tif 000004
【図３】
2004296385.tif 000005
【図４】
2004296385.tif 000006
【図５】
2004296385.tif 000007
【図６】
2004296385.tif 000008
【図７】
2004296385.tif 000009